(57)【要約】【課題】  シャツを洗濯してから干すときに、布地の皺を手の平で叩いたり布地を引っ張ったりして皺を伸ばすことをしなくても、乾し上がったときに皺のない洗濯物となるシャツを提供するものである。【解決手段】  ワイシャツやカッターシャツ等のシャツ１の縦軸中心線より左右となるそれぞれの裾部分４の少なくとも一箇所に、向かい合う前身ごろ２と後身ごろ３とをつないだり切り離したりすることができるボタンやホック、フック等による連結部５を設ける他に、前身ごろ２と後身ごろ３とにハンガー６の左右端となる曲り端１１が挿入できる長さのあるボタン孔状の切溝１０を連結部５として設け、そのシャツ１を干す時には裾部分４の連結部５を上にしてハンガーに吊り掛けて干す。【選択図】          図１
2007224468.tif 000002
【特許請求の範囲】
【請求項１】
シャツの縦軸中心線より左右となるそれぞれの裾部分の少なくとも一箇所に、向かい合う前身ごろと後身ごろとをつないだり切り離したりすることができる連結部を設けたことを特徴とする裾に連結部を設けたシャツ。
【請求項２】
シャツの縦軸中心線より左右となるそれぞれの裾部分の少なくとも一箇所となる左前身ごろと右前身ごろとに、ハンガーの左右端となる曲り端が挿入できる長さのあるボタン孔状の切溝を連結部として設け、後身ごろにはその縦軸中心線より左右となる位置で前身ごろに設けた長さのあるボタン孔状の切溝と重なるか横並びとなるかの状態で長さのあるボタン孔状の切溝を設けたことを特徴とする裾に連結部を設けたシャツ。
【発明の詳細な説明】
【技術分野】
【０００１】
この発明は、ワイシャツやカッターシャツ等のシャツを洗濯してから干すときに、そのシャツに皺が付かないように干すことができる、シャツの裾部分にボタン等のつないだり切り離したりする連結部を設けたシャツに関するものである。
【背景技術】
【０００２】
従来、ワイシャツやカッターシャツ等のシャツを洗濯してから干すときには、ハンガーをシャツの両肩に掛けたり物干し竿にワイシャツの袖を通したりしてから、布地の皺を手の平で叩いたり布地を引っ張ったりして皺を伸ばすものであった。
【０００３】
また、吊り下げたシャツの下端部に重さのあるものを取り付けることや、板の平面に洗い終わったシャツを広げてその布地の皺を伸ばして張り付けることをして、干すことが行われていたものであった。
【発明の開示】
【発明が解決しようとする課題】
【０００４】
従来のシャツの皺を手の平で叩いたり布地を引っ張ったりするものでは、手間と気苦労とがあって時間の掛かる欠点があった。
【０００５】
また、吊り下げたワイシャツの下端部に重さのあるものを取り付けることや板の平面に布地の皺を伸ばして張り付けることは手間が掛かり、それぞれの小道具を管理しなければならない欠点もあった。
【課題を解決するための手段】
【０００６】
本発明は、ワイシャツやカッターシャツ等のシャツ１の縦軸中心線より左右となるそれぞれの裾部分４の少なくとも一箇所に、向かい合う前身ごろ２と後身ごろ３とをつないだり切り離したりすることができるボタンやホック、フック等による連結部５を設けるものとしている。
【０００７】
このシャツ１を洗濯してから干すときには、裾部分４を上にして前身ごろ２と後身ごろ３とが向かい合う間にハンガー６を入れ、向き合うボタン等による連結部５を掛け止めてハンガー６のフック７が二箇所の連結部５の間から引き出してシャツ１を逆さまに掛けた状態とするものであって、襟８や袖９の重い部分が下向きにシャツ１の布地を引っ張ることになり、皺を引き伸ばすことができるものである。
【０００８】
また、ボタン等による連結部５を長さのあるボタン孔状の切溝１０として形成することが考えられ、シャツの縦軸中心線より左右となるそれぞれの裾部分４の少なくとも一箇所となる左前身ごろ２と右前身ごろ２とにハンガー６の左右端となる曲り端１１が挿入できる切溝１０を設け、後身ごろ３にはその縦軸中心線より左右となる位置で前身ごろ２に設けた切溝１０と重なるか横並びとなるかの状態の切溝１０を設けたものが考えられる。
【０００９】
この様な長さのあるボタン孔状の切溝１０をハンガー６に掛けるのには様々な方法があるもので、シャツ１を逆さまにしてシャツ１の外側からハンガー６の一方の曲り端１１を片側の前身ごろ２と同じ側の後身ごろ３の切溝１０に挿入し、他方の曲り端１１を反対側の前身ごろ２と同じ側の後身ごろ３の切溝１０に挿入することでフック７を中央に位置する一つの掛け方がある。
【００１０】
シャツ１の内側からハンガー６を入れて掛けるものとしては、一つの切溝１０を横並び状態で二つの切溝１０とすることが必要であり、ハンガー６の一方の曲り端１１を縫い針のように交互に切溝１０へ挿入させて向かい合わせの切溝１０へと挿入させ、他方の曲り端１１も同じようにそれぞれの切溝１０に挿入させることでシャツ１を逆さまに掛けた状態にすることができる。
【発明の効果】
【００１１】
本発明に係わるシャツ１は、その裾部分４を上にしてハンガー６に掛けるものであることから、襟８や袖９などの重さのある部分が下側になって吊り下がり、シャツ１の裾部分４から襟８までのシャツ１の重みが布地を下に引っ張り、皺を伸ばす働きをするものである。
したがって、乾き終わったときには皺のないシャツ１が干し上がるものであり、アイロンを掛けずに済むか一部分だけを掛ければ済むもので、アイロン掛けの手間が掛からない主婦には喜ばれるシャツ１となり、洗濯屋に出したり取に行ったりする手間とその料金が節約できる効果がある。
【発明を実施するための最良の形態】
【００１２】
以下、実施例を図面に基づいて説明する。
【実施例１】
【００１３】
本発明に係わる実施例の一つとしては、図１に示すように、シャツ１のボタン１２が縦に並ぶ下端となる前身ごろ２の裏側となる裾部分４に連結部５としての裾ボタンを設け、ボタン孔１３が縦に並ぶ下端となる前身ごろ２の裏側となる裾部分４にも裾ボタンによる連結部５を設けたものとしているもので、裾部分４の表側に裾ボタンの連結部５を設けたものとしても支障はないものである。
【００１４】
そして、そのシャツ１の後身ごろ３の裾部分５には、後身ごろ３の縦軸中心線より左右となる位置に二つの横向きの裾ボタン孔を連結部５として設けたものとしていて、この横向きの裾ボタン孔は縦向きや斜め向きなどとして設けることが考えられるものであり、その裾ボタンと裾ボタン孔とによる連結部５の数を裾部分４に沿って増やすことは自由であって、前身ごろ２や後身ごろ３の左右両端に紐の輪による連結部５を設けたものは袖口のボタンと連結して干すときに袖９の垂れ下がりをなくすことができるものである。
【００１５】
この様な裾ボタンと裾ボタン孔とによる連結部５を設けたシャツ１を洗濯した後で干すときには、裾部分４を上にして前身ごろ２と後身ごろ３とが向かい合う間にハンガー６を入れ、裾ボタンと裾ボタン孔との向き合う連結部５を掛け止めてハンガー６のフック７を二箇所の連結部５の間から引き出し、図２や図５に示すように、シャツ１を逆さまに掛けた状態とすることによって、襟８や袖９の重い部分が下向きにシャツ１の布地を引っ張ることで皺を引き伸ばすことになり、乾いたときには皺のない仕上りとなるものである。
【００１６】
その他の実施の形態としては、図３に示すように、連結部５を長さのあるボタン孔状の切溝１０として形成することが考えられ、シャツ１のボタン１２が縦に並ぶ下端となる前身ごろ２の裾部分４とボタン孔１３が縦に並ぶ下端となる前身ごろ２とにハンガー６の左右端となる曲り端１１が挿入できる切溝１０を設け、その切溝１０と横並びで外側に離れた位置にも切溝１０を設けて前身ごろ２の裾部分４に四個の切溝１０を設けたものとしている。
【００１７】
そして、後身ごろ３には、前身ごろ２に設けた長さのあるボタン孔状の切溝１０と重なる位置となる裾部分４の四箇所に長さのあるボタン孔状の切溝１０を設けたものとしている。
【００１８】
この様な切溝１０による連結部５を設けたシャツ１を洗濯した後にハンガーで干すときには、図４に示すように、裾部分４を上にして前身ごろ２と後身ごろ３とを重ねた中央右側の切溝１０にシャツの前側からハンガー６の曲り端１１を差し入れ、差し通した曲り端１１を裏側の後身ごろ３と前身ごろ２へとそれぞれの切溝１０に差し通し、もう一方の曲り端１１を反対側の中央左側の切溝１０から同じように差し入れと差し通しをしてハンガー６のフック７を中央寄りにある二箇所の連結部５の間から引き出した状態にする。
【００１９】
裾部分４に設ける切溝１０を前身ごろ２と後身ごろ３とで八個設けているが、ハンガー６の曲り端１１の通し方によって多くも少なくも考えられるもので、一番少ないものとしては四個とするものが考えられ、物干し竿に切溝１０を通して干すこともできる。
【００２０】
ハンガー６に掛け通したシャツは、図４に示すように、シャツ１を逆さまに掛けた状態とすることによって、襟８や袖９の重い部分が下向きにシャツ１の布地を引っ張ることで皺を引き伸ばすことになり、乾いたときには皺のない仕上りとなるものである。
【００２１】
本願発明の連結部５は、ボタンとボタン孔とによる構成の他に、ホックやフック等が考えられ、ボタン孔を紐の輪とすることもでき、その数を限定するものではない。
【図面の簡単な説明】
【００２２】
【図１】本発明に係わる実施の形態の一つを示す正面図である。
【図２】ハンガーでシャツを干す状態を示す正面図である。
【図３】切溝による連結部を設けたシャツを示す正面図である。
【図４】ハンガーを切溝に通して干す形態を示す正面図である。
【図５】袖を吊り下げてハンガーにシャツを干す状態を示す正面図である。
【符号の説明】
【００２３】
１  シャツ
２  前身ごろ
３  後身ごろ
４  裾部分
５  連結部
６  ハンガー
７  フック
８  襟
９  袖
１０  切溝
１１  曲り端
１２  ボタン
１３  ボタン孔
【図１】
2007224468.tif 000003
【図２】
2007224468.tif 000004
【図３】
2007224468.tif 000005
【図４】
2007224468.tif 000006
【図５】
2007224468.tif 000007